(57)【要約】【課題】鋳型造型ライン又は砂処理ラインにおいて、ゴムバネを利用したスクレ−パで種々の箇所における付着砂を除去する付着砂除去用スクレ−パ装置を提供する。【解決手段】鋳型造型ラインで用いる定盤台車の上面及び該上面に形成されたガス抜き溝の付着砂を除去するスクレ−パ装置であって、前記定盤台車の上方に配置された取付けブラケットと、該取付けブラケットの下位部に取付けられた複数のガス抜き溝用ゴムバネスクレ−パ体及び定盤台車上面用ゴムバネスクレ−パ体と、を具備する。【選択図】      図１
2004268064.tif 000002
【特許請求の範囲】
【請求項１】
鋳型造型ラインで用いる定盤台車の上面及び該上面に形成されたガス抜き溝の付着砂を除去するスクレ−パ装置であって、前記定盤台車の上方に配置された取付けブラケットと、該取付けブラケットの下位部に取付けられた複数のガス抜き溝用ゴムバネスクレ−パ体及び定盤台車上面用ゴムバネスクレ−パ体と、を具備することを特徴とする付着砂除去スクレ−パ装置。
【請求項２】
前記取付けブラケットの下位部における前記ガス抜き溝用ゴムバネスクレ−パ体及び定盤台車上面用ゴムバネスクレ−パ体の前方に粗掻き用スクレ−パを、後方に仕上げ用スクレ−パを取付けたことを特徴とする請求項１記載の付着砂除去スクレ−パ装置。
【請求項３】
鋳型造型ラインで用いる鋳枠の上面又は／及び下面の付着砂を除去するスクレ−パ装置であって、前記鋳枠の上方又は／及び下方に配置された取付けブラケットと、該取付けブラケットに取付けられた複数の鋳枠上面用ゴムバネスクレ−パ体又は／及び鋳枠下面用ゴムバネスクレ−パ体と、を具備することを特徴とする付着砂除去スクレ−パ装置。
【請求項４】
前記鋳枠上面用ゴムバネスクレ−パ体又は／及び鋳枠下面用ゴムバネスクレ−パ体のうち、鋳枠の最上面又は／及び最下面の付着砂を除去するものが、左右に間隔をおいた一対のゴムバネと、該ゴムバネに支持されたスクレ−パと、を備えたものであることを特徴とする請求項３記載の付着砂除去スクレ−パ装置。
【請求項５】
前記鋳枠上面用ゴムバネスクレ−パ体又は／及び鋳枠下面用ゴムバネスクレ−パ体に与圧が与えられていることを特徴とする請求項３又は４のいずれかに記載の付着砂除去スクレ−パ装置。
【請求項６】
鋳型造型ラインで用いる重りの下面の付着砂を除去するスクレ−パ装置であって、前記重りの下方に配置された取付けブラケットと、該取付けブラケットの上位部に取付けられた複数の重り下面用ゴムバネスクレ−パ体と、を具備し、前記重り下面用ゴムバネスクレ−パ体が、左右に間隔をおいた一対のゴムバネと、該ゴムバネに支持されたスクレ−パと、を備えたものであることを特徴とする付着砂除去スクレ−パ装置。
【請求項７】
砂処理ラインにおける砂貯蔵装置の下部に設置された回転式のテ−ブルフィ−ダの上面の付着砂を除去するスクレ−パ装置であって、前記テ−ブルフィ−ダにおける回転テ−ブルの上部に配設された固定スクレ−パと、該固定スクレ−パの下流における前記回転テ−ブルの外周近傍上方に配置された取付けブラケットと、該取付けブラケットに取付けられたテ−ブルフィ−ダ上面用ゴムバネスクレ−パ体と、を具備し、前記テ−ブルフィ−ダ上面用ゴムバネスクレ−パ体が、左右に間隔をおいた一対のゴムバネと、該ゴムバネに支持されたスクレ−パと、を備えたものであることを特徴とする付着砂除去スクレ−パ装置。
【発明の詳細な説明】
【０００１】
【発明の属する技術分野】
本発明は、付着砂を除去するためのスクレ−パ装置に関する。
【０００２】
【従来の技術】
従来、鋳型造型ラインにおいて、ゴムバネに支持されたスクレ−パを使用して鋳枠内面の付着砂を除去する装置は公知にされている（例えば、特許文献１参照）。
【０００３】
【特許文献１】
実開平１−１３９９６８号公報（第１頁、第１−５図）
【０００４】
【発明が解決しようとする課題】
しかし、鋳型造型ラインにおいて、付着砂を除去する必要がある箇所は前記鋳枠内面の他にも定盤台車上面、鋳枠上下面、重り下面など多数あって、これらの箇所については、付着砂の除去が未だ十分ではないという問題がある。また砂処理ラインにおいても付着砂を除去する必要がある箇所は存在し、これについても付着砂の除去が未だ十分ではないという問題がある。
【０００５】
本発明は上記の問題に鑑みて成されたもので、鋳型造型ライン又は砂処理ラインにおいて、ゴムバネを利用したスクレ−パで種々の箇所における付着砂を除去する付着砂除去用スクレ−パ装置を提供することを目的とする。
【０００６】
【課題を解決するための手段】
上記の目的を達成するために本発明における付着砂除去用スクレ−パ装置は、鋳型造型ラインで用いる定盤台車の上面及び該上面に形成されたガス抜き溝の付着砂を除去するスクレ−パ装置であって、前記定盤台車の上方に配置された取付けブラケットと、該取付けブラケットの下位部に取付けられた複数のガス抜き溝用ゴムバネスクレ−パ体及び定盤台車上面用ゴムバネスクレ−パ体と、を具備することを特徴とする。
【０００７】
さらに本発明における付着砂除去用スクレ−パ装置は、前記取付けブラケットの下位部における前記ガス抜き溝用ゴムバネスクレ−パ体及び定盤台車上面用ゴムバネスクレ−パ体の前方に粗掻き用スクレ−パを、後方に仕上げ用スクレ−パを取付けたことを特徴とする。
【０００８】
また本発明における付着砂除去用スクレ−パ装置は、鋳型造型ラインで用いる鋳枠の上面又は／及び下面の付着砂を除去するスクレ−パ装置であって、前記鋳枠の上方又は／及び下方に配置された取付けブラケットと、該取付けブラケットに取付けられた複数の鋳枠上面用ゴムバネスクレ−パ体又は／及び鋳枠下面用ゴムバネスクレ−パ体と、を具備することを特徴とする。
【０００９】
さらに本発明における付着砂除去用スクレ−パ装置は、前記鋳枠上面用ゴムバネスクレ−パ体又は／及び鋳枠下面用ゴムバネスクレ−パ体のうち、鋳枠の最上面又は／及び最下面の付着砂を除去するものが、左右に間隔をおいた一対のゴムバネと、該ゴムバネに支持されたスクレ−パと、を備えたものであることを特徴とする。
【００１０】
さらに本発明における付着砂除去用スクレ−パ装置は、前記鋳枠上面用ゴムバネスクレ−パ体又は／及び鋳枠下面用ゴムバネスクレ−パ体に与圧が与えられていることを特徴とする。
【００１１】
また本発明における付着砂除去用スクレ−パ装置は、鋳型造型ラインで用いる重りの下面の付着砂を除去するスクレ−パ装置であって、前記重りの下方に配置された取付けブラケットと、該取付けブラケットの上位部に取付けられた複数の重り下面用ゴムバネスクレ−パ体と、を具備し、前記重り下面用ゴムバネスクレ−パ体が、左右に間隔をおいた一対のゴムバネと、該ゴムバネに支持されたスクレ−パと、を備えたものであることを特徴とする。
【００１２】
また本発明における付着砂除去用スクレ−パ装置は、砂処理ラインにおける砂貯蔵装置の下部に設置された回転式のテ−ブルフィ−ダの上面の付着砂を除去するスクレ−パ装置であって、前記テ−ブルフィ−ダにおける回転テ−ブルの上部に配設された固定スクレ−パと、該固定スクレ−パの下流における前記回転テ−ブルの外周近傍上方に配置された取付けブラケットと、該取付けブラケットに取付けられたテ−ブルフィ−ダ上面用ゴムバネスクレ−パ体と、を具備し、前記テ−ブルフィ−ダ上面用ゴムバネスクレ−パ体が、左右に間隔をおいた一対のゴムバネと、該ゴムバネに支持されたスクレ−パと、を備えたものであることを特徴とする。
【００１３】
なお本発明において付着砂とは、付着した鋳物砂のことをいい、堆積した鋳物砂、固着した鋳物砂などもこれに含まれる。また鋳物砂としては、例えば、生砂などが挙げられる。
また本発明において砂処理ラインとは、鋳型造型の目的で鋳物砂の調整や処理などを行うラインのことをいう。
【００１４】
【発明の実施の形態】
以下、本発明の実施の形態を図面に基づいて詳しく説明する。まず図１から図７により、鋳型造型ラインで用いる定盤台車１０の上面１１ａ及び該上面１１ａに形成されたガス抜き溝１１ｂの付着砂を除去するスクレ−パ装置について説明する。図１において、図示されないレ−ル上に載置された定盤台車１０の右上方には取付けブラケット２が配置されており、該取付けブラケット２の下位部には複数のガス抜き溝用ゴムバネスクレ−パ体４、４及び定盤台車上面用ゴムバネスクレ−パ体５、５が該取付けブラケット２の進行方向に対して間隔をおいて取付けられている。該ガス抜き溝用ゴムバネスクレ−パ体４、４及び定盤台車上面用ゴムバネスクレ−パ体５、５は図３、４に示すように、各々、その下端が前記ガス抜き溝１１ｂ及び上面１１ａよりも若干低い位置にされており、これによりラップ代が確保されている。
【００１５】
そして、前記取付けブラケット２の下位部における前記ガス抜き溝用ゴムバネスクレ−パ体４、４及び定盤台車上面用ゴムバネスクレ−パ体５、５の前方（図１における左側）には粗掻き用スクレ−パ３が、後方（図１における右側）には仕上げ用スクレ−パ６が取付けられており、これにより段階的に、且つ、より確実に前記付着砂が除去できるようになっている。なお該粗掻き用スクレ−パ３の下端は図２に示すように、前記上面１１ａに対して若干の隙間ができる位置にされており、該仕上げ用スクレ−パ６の下端は図５に示すように、前記上面１１ａと同じ高さにされている。
【００１６】
また前記ガス抜き溝用ゴムバネスクレ−パ体４、４は、角パイプ３６ａ内部に角棒３６ｂを角度をつけて配置し、角パイプ３６ａと角棒３６ｂとの隙間にゴム３６ｃ、３６ｃを圧入したゴムバネ３６（図６参照）と、前記角パイプ３６ａに固着された支持板３７を介して前記ゴムバネ３６に支持された金属製のスクレ−パ３８と、によって構成されている（図３参照）。さらに前記定盤台車上面用ゴムバネスクレ−パ体５、５は、前記ゴムバネ３６と、該ゴムバネ３６における前記角パイプ３６ａに固着された支持板３７を介して前記ゴムバネ３６に支持された金属製のスクレ−パ３９と、によって構成されている（図４参照）。
【００１７】
このように構成されたものの作動について説明する。図示されない横行手段に連結された取付けブラケット２が定盤台車１０に向かって水平移動されると、まず粗掻き用スクレ−パ３で前記上面１１ａ及びガス抜き溝１１ｂの付着砂が粗掻きされていく。次にガス抜き溝用ゴムバネスクレ−パ体４、４及び定盤台車上面用ゴムバネスクレ−パ体５、５で前記ガス抜き溝１１ｂ及び上面１１ａの付着砂が除去されていく（図７参照）。最後に仕上げ用スクレ−パ６で前記上面１１ａの仕上げ清掃が成される。そして、仕上げ用スクレ−パ６が定盤台車１０を越えた位置まで前記取付けブラケット２の水平移動が成されると、該取付けブラケット２はそのまま戻り側に水平移動され、定位置（図１における右側）に戻される。
【００１８】
なお上述の実施形態では定盤台車１０を固定して取付けブラケット２を水平移動させるようにしたが、取付けブラケット２は前記ガス抜き溝１１ｂに沿って相対的に水平移動可能であればよいため、取付けブラケット２を固定して定盤台車１０を水平移動させるようにしてもよい。また定盤台車１０又は取付けブラケット２の水平移動は、往復移動に限定されるものではなく、片道移動であってもよい。
【００１９】
次に図８から図１４により、鋳型造型ラインで用いる鋳枠２０の上面２０ａの付着砂を除去するスクレ−パ装置について説明する。図８において、鋳枠２０の上方には取付けブラケット２２が配置されており、該取付けブラケット２２は支柱２１、２１に取付けられている。また該取付けブラケット２２の下位部には複数の鋳枠上面用ゴムバネスクレ−パ体２３ａ、２３ａ、２３ｂ、２３ｂが取付けられている。
【００２０】
そして、該鋳枠上面用ゴムバネスクレ−パ体２３ａ、２３ａ、２３ｂ、２３ｂのうち、前記鋳枠２０の上面２０ａにおける最上面２０ｂの付着砂を除去する鋳枠上面用ゴムバネスクレ−パ体２３ａ、２３ａは、左右に間隔をおいた一対の前記ゴムバネ３６、３６と、該ゴムバネ３６、３６における前記角パイプ３６ａ、３６ａに固着された支持板２５、２５を介して前記ゴムバネ３６、３６に支持された金属製のスクレ−パ２６と、によって構成されている。また前記鋳枠２０の上面２０ａにおける左右両端上面２０ｃ、２０ｃの付着砂を除去する鋳枠上面用ゴムバネスクレ−パ体２３ｂ、２３ｂは、前記スクレ−パ２６を一つの前記ゴムバネ３６で支持する以外は前記鋳枠上面用ゴムバネスクレ−パ体２３ａ、２３ａと同じ構成にされている。
【００２１】
さらに前記鋳枠上面用ゴムバネスクレ−パ体２３ａ、２３ａ、２３ｂ、２３ｂは、各々、その下端が前記鋳枠２０の上面２０ａよりも若干低い位置にされており、上述の定盤台車１０の付着砂除去の場合と同様、ラップ代が確保されている。
【００２２】
また前記鋳枠上面用ゴムバネスクレ−パ体２３ａ、２３ａ、２３ｂ、２３ｂには与圧が与えられている（図１０〜１４参照）。詳述すると、図１３に示すように、鋳枠上面用ゴムバネスクレ−パ体２３ａ、２３ａ、２３ｂ、２３ｂは、取付けブラケット２２に取付ける際、鋳枠２０搬送上流側（図１３における右側）に傾けた状態（本実施形態では１０度）で取付ける。そして、取付けブラケット２２の下位部に各々取付けられた押えボルト２７で前記スクレ−パ２６又は支持板２５を垂直状態になるまで押して前記与圧を与える。なお本実施形態では、鋳枠上面用ゴムバネスクレ−パ体２３ａ、２３ａは前記スクレ−パ２６を、鋳枠上面用ゴムバネスクレ−パ体２３ｂ、２３ｂは支持板２５を押すようになっている。
【００２３】
このように構成されたものの作動について説明する。図９に示すように、鋳枠２０が図示されない搬送手段で進行方向（図９矢印方向）に向かって水平移動されると、鋳枠上面用ゴムバネスクレ−パ体２３ａ、２３ａ、２３ｂ、２３ｂで前記鋳枠２０の上面２０ａの付着砂が除去されていく。この際、鋳枠上面用ゴムバネスクレ−パ体２３ａ、２３ａ、２３ｂ、２３ｂは図１４のような状態になる。なお本実施形態では、押えボルト２７で与圧を与えているため、鋳枠２０の進行方向は図９矢印方向のみに限られるが、押えボルト２７を無くして与圧無しにすれば、鋳枠２０の往復移動にも対応できる。
【００２４】
なお上述の実施形態では、スクレ−パ装置全体を鋳枠２０の上方に配置して鋳枠２０の上面２０ａの付着砂を除去するようにしたが、スクレ−パ装置全体を鋳枠２０の下方に配置して鋳枠２０の下面２０ｄ（最下面２０ｅ、左右両端下面２０ｆ、２０ｆ）の付着砂を除去するようにしてもよい。またスクレ−パ装置全体を鋳枠２０の上方及び下方に配置して前記上面２０ａ及び下面２０ｄの両方の付着砂を除去するようにしてもよい。さらに、前記押えボルト２７を無くして与圧無しにした場合、鋳枠２０を固定してスクレ−パ装置全体を水平に往復移動させるようにしてもよい。
【００２５】
次に図１５から図１８により、鋳型造型ラインで用いる重り３０の下面３０ａの付着砂を除去するスクレ−パ装置について説明する。図１５において、重り３０の下方には取付けブラケット３４が配置されており、該取付けブラケット３４はシュ−ト３３付のフレ−ム３２に取付けられている。また該フレ−ム３２は図示されない重り移載装置の一部を構成するフレ−ム３１、３１（図１７参照）に取付けられており、前記取付けブラケット３４の上位部には複数の重り下面用ゴムバネスクレ−パ体３５、３５が取付けられている。
【００２６】
該重り下面用ゴムバネスクレ−パ体３５、３５は、左右に間隔をおいた一対の前記ゴムバネ３６、３６（図１８参照）と、該ゴムバネ３６、３６における前記角パイプ３６ａ、３６ａに固着された支持板４０、４０を介して前記ゴムバネ３６、３６に支持された金属製のスクレ−パ４１と、によって構成されている（図１６参照）。なお前記取付けブラケット３４及び重り下面用ゴムバネスクレ−パ体３５、３５は前記シュ−ト３３の内部に配置されている。また前記重り下面用ゴムバネスクレ−パ体３５、３５は、各々、その上端が前記重り３０の下面３０ａよりも若干高い位置にされており、上述の定盤台車１０の付着砂除去の場合と同様、ラップ代が確保されている。
【００２７】
このように構成されたものの作動について説明する。図１５に示すように、重り３０が図示されない重り移載装置で進行方向（図１５矢印方向）に向かって水平移動されると、重り下面用ゴムバネスクレ−パ体３５、３５で前記重り３０の下面３０ａの付着砂が除去されていく。そして、重り３０が重り下面用ゴムバネスクレ−パ体３５、３５を越えた位置まで前記水平移動が成されると、重り３０はそのまま戻り側に水平移動され、元の位置に戻される。なお除去された前記付着砂はシュ−ト３３を介して図示されない受け箱へ回収される。
【００２８】
なお上述の実施形態では取付けブラケット３４を固定して重り３０を水平移動させるようにしたが、取付けブラケット３４は前記重り３０の下面３０ａに沿って相対的に水平移動可能であればよいため、重り３０を固定して取付けブラケット３４を水平移動させるようにしてもよい。また重り３０又は取付けブラケット３４の水平移動は、往復移動に限定されるものではなく、片道移動であってもよい。
【００２９】
次に図１９から図２３により、砂処理ラインにおける固定式の砂貯蔵装置６０の下部に設置された回転式のテ−ブルフィ−ダ６１の上面６１ａの付着砂を除去するスクレ−パ装置について説明する。図１９において、前記砂貯蔵装置６０の下部には前記テ−ブルフィ−ダ６１が砂切り出し口６２を確保した状態で設置されている。該テ−ブルフィ−ダ６１は、基盤６３と、該基盤６３の上方に配置されると共に該基盤６３に回転可能に連結された回転テ−ブル６４と、該回転テ−ブル６４の外側に配置されると共に前記基盤６３上に連結された駆動部６５、６５と、によって構成されている。
【００３０】
また図２０に示すように、前記砂切り出し口６２の外側における前記回転テ−ブル６４の上部には、図示されない固定部材に固定されると共に図示されないゴムスクレ−パを有する固定スクレ−パ６６が配設されており、該固定スクレ−パ６６の下端は前記上面６１ａに接触させている。そして、該固定スクレ−パ６６の外側下方にはシュ−ト６７が配設されている。さらに図２１に示すように、該固定スクレ−パ６６の下流における前記回転テ−ブル６４の外周近傍上方には、該固定スクレ−パ６６に固定された取付けブラケット５４が配置されており、該取付けブラケット５４の側位部にはテ−ブルフィ−ダ上面用ゴムバネスクレ−パ体５３が取付けられている。また該テ−ブルフィ−ダ上面用ゴムバネスクレ−パ体５３は、左右に間隔をおいた一対の前記ゴムバネ３６、３６と、該ゴムバネ３６、３６における前記角パイプ３６ａ、３６ａに固着された支持板５２、５２及び該支持板５２、５２に取付けられた屈曲部材５１を介して前記ゴムバネ３６、３６に支持されたウレタンゴム製のスクレ−パ５０と、によって構成されている。
【００３１】
また前記テ−ブルフィ−ダ上面用ゴムバネスクレ−パ体５３には与圧が与えられている。詳述すると、テ−ブルフィ−ダ上面用ゴムバネスクレ−パ体５３は取付けブラケット５４に取付ける際、水平に取付けるため、前記回転テ−ブル６４が存在しない場合、前記スクレ−パ５０の下端は前記上面６１ａより若干低い位置になる（図２２参照）。しかし、実際には前記回転テ−ブル６４が存在するため、前記スクレ−パ５０の下端は、前記上面６１ａより低い位置にはならず、該上面６１ａと接触することになる。そうすると、テ−ブルフィ−ダ上面用ゴムバネスクレ−パ体５３は上方に若干傾いた状態になり、反力による与圧が発生する（図２３参照）。
【００３２】
このように構成されたものの作動について説明する。砂貯蔵装置６０に鋳物砂Ｓが貯蔵された状態で駆動部６５、６５が作動されると、回転テ−ブル６４が図２０矢印方向に回転し、砂切り出し口６２から鋳物砂Ｓが切り出される。そして、該鋳物砂Ｓは固定スクレ−パ６６でシュ−ト６７に落とし込まれる。この際、固定スクレ−パ６６に鋳物砂Ｓの圧力が加わるため、該固定スクレ−パ６６の下流へ潜り抜ける付着砂（以下、潜り砂という）が発生する場合があるが、該潜り砂のうち、前記上面６１ａにおける外周近傍の潜り砂はテ−ブルフィ−ダ上面用ゴムバネスクレ−パ体５３で除去されてシュ−ト６７に落とし込まれる。このため、前記上面６１ａにおける外周近傍には潜り砂がほとんど残留せず、その結果、回転テ−ブル６４外側下方への砂こぼれを該回転テ−ブル６４全周に亘って防止することができる。
【００３３】
上述の実施形態では、前記テ−ブルフィ−ダ上面用ゴムバネスクレ−パ体５３に与圧を与えるようにしたが、該テ−ブルフィ−ダ上面用ゴムバネスクレ−パ体５３は与圧無しで使用してもよい。テ−ブルフィ−ダ上面用ゴムバネスクレ−パ体５３を取付けブラケット５４に水平に取付けたとき、前記スクレ−パ５０の下端が前記上面６１ａと同じ高さになるように該スクレ−パ５０の高さを調整すれば、前記与圧は無しになる。
【００３４】
なお前記鋳枠２０の上面２０ａの付着砂を除去するスクレ−パ装置で押えボルト２７により与圧を与える実施形態を示したが、前記定盤台車１０の上面１１ａ及び該上面１１ａに形成されたガス抜き溝１１ｂの付着砂を除去するスクレ−パ装置、重り３０の下面３０ａの付着砂を除去するスクレ−パ装置においても押えボルト２７により与圧を与えるようにしてもよい。
【００３５】
また前記スクレ−パ３８、３９、２６、４１は各々、先端部又は全体に焼入れを施すと耐摩耗性が向上するため好ましい。
【００３６】
さらに前記鋳枠上面用ゴムバネスクレ−パ体２３ａ、２３ａ、重り下面用ゴムバネスクレ−パ体３５、３５、テ−ブルフィ−ダ上面用ゴムバネスクレ−パ体５３は各々、左右に間隔をおいた一対のゴムバネ３６、３６と、該ゴムバネ３６、３６に支持された前記スクレ−パ２６、４１、５０と、を備えたものであるから、付着砂の除去時に前記スクレ−パ２６、４１、５０に偏荷重が加わった場合でもゴムバネ３６、３６がひねられてしまうことがほとんど無い。このため、ゴムバネ３６、３６の破損を防止することができる。
【００３７】
さらに本発明における種々のゴムバネスクレ−パ体は、与圧を与えることが必須ではないが、与圧を与えると、付着砂を除去する力が増し、より確実な付着砂除去ができるため好ましい。
【００３８】
【発明の効果】
上記の説明から明らかなように本発明は、鋳型造型ラインで用いる定盤台車の上面及び該上面に形成されたガス抜き溝の付着砂を除去するスクレ−パ装置であって、前記定盤台車の上方に配置された取付けブラケットと、該取付けブラケットの下位部に取付けられた複数のガス抜き溝用ゴムバネスクレ−パ体及び定盤台車上面用ゴムバネスクレ−パ体と、を具備するようにしたから、前記定盤台車の上面及び該上面に形成されたガス抜き溝の付着砂を十分且つ確実に除去することができる。また、その他に鋳枠の上面又は／及び下面、重りの下面、砂処理ラインにおける砂貯蔵装置の下部に設置された回転式のテ−ブルフィ−ダの上面などの付着砂を十分且つ確実に除去することができる等、種々の効果がある。
【図面の簡単な説明】
【図１】定盤台車の上面及び該上面に形成されたガス抜き溝の付着砂を除去するスクレ−パ装置の実施形態を示す正面図である。
【図２】図１におけるＡ−Ａ矢視図である。
【図３】図１におけるＢ−Ｂ矢視図である。
【図４】図１におけるＣ−Ｃ矢視図である。
【図５】図１におけるＤ−Ｄ矢視図である。
【図６】ゴムバネの詳細図である。
【図７】付着砂除去時のガス抜き溝用ゴムバネスクレ−パ体及び定盤台車上面用ゴムバネスクレ−パ体の状態図である。
【図８】鋳枠の上面の付着砂を除去するスクレ−パ装置の実施形態を示す正面図である。
【図９】図８の平面図である。
【図１０】図８におけるＥ−Ｅ矢視図である。
【図１１】図８におけるＦ−Ｆ矢視図である。
【図１２】図８におけるＧ−Ｇ矢視図である。
【図１３】鋳枠上面用ゴムバネスクレ−パ体に与圧を与えた状態を示す図である。
【図１４】付着砂除去時の鋳枠上面用ゴムバネスクレ−パ体の状態図である。
【図１５】重りの下面の付着砂を除去するスクレ−パ装置の実施形態を示す正面図である。
【図１６】図１５におけるＩ部詳細図である。
【図１７】図１５におけるＨ−Ｈ矢視図である。
【図１８】図１７におけるＪ−Ｊ矢視図である。
【図１９】砂貯蔵装置の下部に設置された回転式のテ−ブルフィ−ダの上面の付着砂を除去するスクレ−パ装置の実施形態を示す正面図である。
【図２０】図１９におけるＫ−Ｋ矢視図である。
【図２１】（イ）：図２０におけるＬ部詳細図である。
（ロ）：（イ）におけるＭ−Ｍ矢視図である。
【図２２】テ−ブルフィ−ダ上面用ゴムバネスクレ−パ体に与圧を与えていない状態を示す図である。
【図２３】テ−ブルフィ−ダ上面用ゴムバネスクレ−パ体に与圧を与えた状態を示す図である。
【符号の説明】
２  ２２  ３４  ５４  取付けブラケット
３  粗掻き用スクレ−パ
４  ガス抜き溝用ゴムバネスクレ−パ体
５  定盤台車上面用ゴムバネスクレ−パ体
６  仕上げ用スクレ−パ
１０  定盤台車
１１ａ  定盤台車の上面
１１ｂ  ガス抜き溝
２０  鋳枠
２０ａ  鋳枠の上面
２０ｂ  鋳枠の最上面
２０ｄ  鋳枠の下面
２０ｅ  鋳枠の最下面
２３ａ  ２３ｂ  鋳枠上面用ゴムバネスクレ−パ体
２６  ４１  ５０  スクレ−パ
３０  重り
３０ａ  重りの下面
３５  重り下面用ゴムバネスクレ−パ体
３６  ゴムバネ
５３  テ−ブルフィ−ダ上面用ゴムバネスクレ−パ体
６０  砂貯蔵装置
６１  テ−ブルフィ−ダ
６１ａ  テ−ブルフィ−ダの上面
６４  回転テ−ブル
６６  固定スクレ−パ
【図１】
2004268064.tif 000003
【図２】
2004268064.tif 000004
【図３】
2004268064.tif 000005
【図４】
2004268064.tif 000006
【図５】
2004268064.tif 000007
【図６】
2004268064.tif 000008
【図７】
2004268064.tif 000009
【図８】
2004268064.tif 000010
【図９】
2004268064.tif 000011
【図１０】
2004268064.tif 000012
【図１１】
2004268064.tif 000013
【図１２】
2004268064.tif 000014
【図１３】
2004268064.tif 000015
【図１４】
2004268064.tif 000016
【図１５】
2004268064.tif 000017
【図１６】
2004268064.tif 000018
【図１７】
2004268064.tif 000019
【図１８】
2004268064.tif 000020
【図１９】
2004268064.tif 000021
【図２０】
2004268064.tif 000022
【図２１】
2004268064.tif 000023
【図２２】
2004268064.tif 000024
【図２３】
2004268064.tif 000025